(57)【要約】【課題】各レーザ光源装置のレーザビームごとに同期検知信号を得て、光学的レイアウトの自由度を増大させ、装置の小型化を図ることができる光走査装置を得る。【解決手段】複数（ｎ≧２；整数）のレーザビームを出射する複数（ｍ≧２；整数）のレーザ光源装置１０，２０から出射されたレーザビームを共通の偏向手段３１により被走査面を偏向走査する。各レーザ光源装置１０，２０から出射される複数のレーザビームは、偏向手段の偏向反射面付近にて互いに交差して入射しかつ反射されるように構成され、異なるレーザ光源装置から出射し共通の偏向手段３１に入射する複数のレーザビームの入射角度が偏向走査面内で互いに異なり、ｎ×ｍのレーザビームが入射する一つの同期検知手段３３を有し、ｎ×ｍのレーザビームは一つの同期検知手段３３にタイミングがずれて入射する。【選択図】図１
2007193353.tif 000002
【特許請求の範囲】
【請求項１】
複数（ｎ≧２；整数）のレーザビームを出射する複数（ｍ≧２；整数）のレーザ光源装置から出射されたレーザビームを共通の偏向手段により被走査面を偏向走査する光走査装置において、
各レーザ光源装置から出射される複数のレーザビームは、偏向手段の偏向反射面付近にて互いに交差して入射しかつ反射されるように構成され、
異なるレーザ光源装置から出射し共通の偏向手段に入射する複数のレーザビームの入射角度が偏向走査面内で互いに異なり、
上記ｎ×ｍのレーザビームが入射する一つの同期検知手段を有し、
上記ｎ×ｍのレーザビームは上記一つの同期検知手段にタイミングがずれて入射することを特徴とする光走査装置。
【発明の詳細な説明】
【技術分野】
【０００１】
本発明は、複数の感光体上を光走査して、同一転写紙に多重転写することができる光走査装置に関するものであり、特に、カラーレーザプリンタやデジタル複写機等に適用可能な光走査装置に関するものである。
【背景技術】
【０００２】
従来から複数の感光体上を光走査して、同一転写材上に多重転写するようにした光走査装置が提案されている。ここで、従来のフルカラー画像形成装置における光走査装置の概略を説明する。図６及び図７に示すように、４色のカラー現像剤の一つであるＫ（ブラック）に対応したレーザ光源装置５０Ｋの半導体レーザから出射されたレーザビーム５１Ｋは、カップリングレンズ５２Ｋを透過することによってカップリングされ、線像結像素子としてのシリンダレンズ５３Ｋを透過することによって、回転多面鏡１００の偏向反射面に副走査方向に略結像した線像として形成される。そして時計方向に回転する回転多面鏡１００によって偏向走査され、第１走査レンズ１０１および第２走査レンズ５４Ｋを透過し、折り返しミラー５６Ｋを介して感光体ドラム５５Ｋの被走査面上をビームスポットとして等速走査する。また、第１走査レンズ１０１を透過したレーザビーム５１Ｋの一部は、同期ミラー６０Ｋによって折り曲げられて同期検知センサ６１Ｋに入射する。この同期検知センサ６１Ｋは、レーザビーム５１Ｋの主走査方向の書き込みタイミングを決定するものである。
【０００３】
上記第１走査レンズ１０１と第２走査レンズ５４Ｋの組み合わせでｆθ機能を有していて、これによって回転多面鏡１００による等角速度的な偏向ビームが感光体ドラム５５Ｋの被走査面上で等速的に光走査される。また、レーザ光源装置５０Ｋから感光体ドラム５５Ｋまでの光学系配置を「ステーションＫ」と呼ぶことにする。
【０００４】
また、４色のカラー現像剤の一つであるＹ（イエロー）に対応したレーザ光源装置５０Ｙの半導体レーザから出射されたレーザビーム５１Ｙは、カップリングレンズ５２Ｙを透過することによってカップリングされ、線像結像素子としてのシリンダレンズ５３Ｙを透過することによって、回転多面鏡１００の偏向反射面に副走査方向に略結像した線像として形成される。そして回転多面鏡１００によって偏向走査され、第１走査レンズ１０１および第２走査レンズ５４Ｙを透過し、折り返しミラー５６Ｙ、５７Ｙを介して感光体ドラム５５Ｙの被走査面上をビームスポットとして等速走査する。また、第１走査レンズ１０１を透過したレーザビーム５１Ｙの一部は、同期ミラー６０Ｙによって折り曲げられて同期検知センサ６１Ｙに入射する。この同期検知センサ６１Ｙは、レーザビーム５１Ｙの主走査方向の書き込みタイミングを決定するものである。
【０００５】
上記第１走査レンズ１０１と第２走査レンズ５４Ｙの組み合わせでｆθ機能を有していて、これによって回転多面鏡１００による等角速度的な偏向ビームが感光体ドラム５５Ｙの被走査面上で等速的に光走査される。また、レーザ光源装置５０Ｙから感光体ドラム５５Ｙまでの光学系配置を「ステーションＹ」と呼ぶことにする。
【０００６】
上記「ステーションＫ」と「ステーションＹ」とを総称して「ステーション群Ａ」と呼ぶことにする。回転多面鏡１００が回転すると、上記「ステーション群Ａ」に配置された感光体ドラム５５Ｋ、５５Ｙの被走査面上は、図６において上から下に向かってそれぞれ走査される。
【０００７】
また、４色のカラー現像剤の一つであるＭ（マゼンタ）に対応したレーザ光源装置５０Ｍの半導体レーザから出射されたレーザビーム５１Ｍは、カップリングレンズ５２Ｍを透過することによってカップリングされ、線像結像素子としてのシリンダレンズ５３Ｍを透過することによって、回転多面鏡１００の偏向反射面に副走査方向に略結像した線像として形成される。そして回転多面鏡１００によって偏向走査され、第１走査レンズ１０２および第２走査レンズ５４Ｍを透過し、折り返しミラー５６Ｍ、５７Ｍを介して感光体ドラム５５Ｍの被走査面上をビームスポットとして等速走査する。また、第１走査レンズ１０２を透過したレーザビーム５１Ｍの一部は、同期ミラー６０Ｍによって折り曲げられて同期検知センサ６１Ｍに入射する。この同期検知センサ６１Ｍは、レーザビーム５１Ｍの主走査方向の書き込みタイミングを決定するものである。
【０００８】
上記第１走査レンズ１０２と第２走査レンズ５４Ｍの組み合わせでｆθ機能を有していて、これによって回転多面鏡１００による等角速度的な偏向ビームが感光体ドラム５５Ｍの被走査面上で等速的に光走査される。また、レーザ光源装置５０Ｍから感光体ドラム５５Ｍまでの光学系配置を「ステーションＭ」と呼ぶことにする。
【０００９】
また、４色のカラー現像剤の一つであるＣ（シアン）に対応したレーザ光源装置５０Ｃの半導体レーザから出射されたレーザビーム５１Ｃは、カップリングレンズ５２Ｃを透過することによってカップリングされ、線像結像素子としてのシリンダレンズ５３Ｃを透過することによって、回転多面鏡１００の偏向反射面に副走査方向に略結像した線像として形成される。そして回転多面鏡１００によって偏向走査され、第１走査レンズ１０２および第２走査レンズ５４Ｃを透過し、折り返しミラー５６Ｃを介して感光体ドラム５５Ｃの被走査面上をビームスポットとして等速走査する。また、第１走査レンズ１０２を透過したレーザビーム５１Ｃの一部は、同期ミラー６０Ｃによって折り曲げられて同期検知センサ６１Ｃに入射する。この同期検知センサ６１Ｃは、レーザビーム５１Ｃの主走査方向の書き込みタイミングを決定するものである。
【００１０】
上記第１走査レンズ１０２と第２走査レンズ５４Ｃの組み合わせでｆθ機能を有していて、これによって回転多面鏡１００による等角速度的な偏向ビームが感光体ドラム５５Ｃの被走査面上で等速的に光走査される。また、レーザ光源装置５０Ｃから感光体ドラム５５Ｃまでの光学系配置を「ステーションＣ」と呼ぶことにする。
【００１１】
上記「ステーションＭ」と「ステーションＣ」とを総称して「ステーション群Ｂ」と呼ぶことにする。回転多面鏡１００が回転すると、上記「ステーション群Ｂ」に配置された感光体ドラム５５Ｍ、５５Ｃの被走査面上は、図６において下から上に向かってそれぞれ走査される。
【００１２】
なお、上記ミラー５６Ｋ、５６Ｙ、５６Ｍ、５６Ｃ、５７Ｙ、５７Ｍおよび同期ミラー６０Ｋ、６０Ｙ、６０Ｍ、６０Ｃは、結像性能や、主走査倍率などの光学性能を変化させることなく、各レーザ光源装置から出射されたレーザビームの光路を折り曲げるようになっている。
【００１３】
図６および図７に示すように、第１走査レンズは回転多面鏡１００を中心に対向配置されるように二つ設けられていて、一方の第１走査レンズ１０１（図６において右側）で、「ステーション群Ａ」に配置された感光体ドラム５５Ｋ、５５Ｙの被走査面上を光走査するレーザビームを透過し、他方の第１走査レンズ１０２（図６において左側）で、「ステーション群Ｂ」に配置された感光体ドラム５５Ｍ、５５Ｃの被走査面上を光走査するレーザビームを透過する。また、図示しない転写材は、各感光体ドラム５５Ｃ、５５Ｍ、５５Ｙ、５５Ｋの被走査面上に形成された画像が順次に転写され、これによって転写材上に多重画像が形成される。
【００１４】
図６に示すフルカラー画像形成装置における光走査装置は、ステーションごとに同期検知センサが設けられているが、従来のフルカラー画像形成装置における光走査装置においては、ステーション群ごとに同期検知センサを設けているものがある。すなわち、「ステーション群Ａ」における「ステーションＫ」のレーザビーム５１Ｋと「ステーションＹ」のレーザビーム５１Ｙの主走査方向の書き込みタイミングを一つの同期検知センサで決定し、「ステーション群Ｂ」における「ステーションＭ」のレーザビーム５１Ｍと「ステーションＣ」のレーザビーム５１Ｃの主走査方向の書き込みタイミングを他の一つの同期検知センサで決定するものがある。特許文献１に記載に記載されているものがそれである。
【特許文献１】特開平１０−１４８７７７号公報
【発明の開示】
【発明が解決しようとする課題】
【００１５】
このように、一つの同期検知センサで二つのステーションのレーザビームの主走査方向の書き込みタイミングを決定させる場合には、各レーザ光源装置から出射されたレーザビームの回転多面鏡に対する入射角度を互いに異ならせることにより、各レーザビームの検知信号出力を時間的に分離して、各レーザ光源装置のレーザビームごとの同期検知信号を得ている。しかしながら、上記特許文献１記載のものは、偏向手段に対する２つのステーションのレーザビームの出射角度が大きいため、装置全体が大きくなってしまうという問題がある。
【００１６】
本発明は以上のような従来技術の問題点を解消するためになされたものであり、各レーザ光源装置から出射されたレーザビームの回転多面鏡に対する入射角度を互いに異ならせて、各レーザビームの検知信号出力を時間的に分離することにより、各レーザ光源装置のレーザビームごとの同期検知信号を得ることができると共に、光学的レイアウトの自由度を増大させ、装置の小型化を図ることができる光走査装置を提供することを目的とする。
【課題を解決するための手段】
【００１７】
本発明は、複数（ｎ≧２；整数）のレーザビームを出射する複数（ｍ≧２；整数）のレーザ光源装置から出射されたレーザビームを共通の偏向手段により被走査面を偏向走査する光走査装置において、各レーザ光源装置から出射される複数のレーザビームは、偏向手段の偏向反射面付近にて互いに交差して入射しかつ反射されるように構成され、異なるレーザ光源装置から出射し共通の偏向手段に入射する複数のレーザビームの入射角度が偏向走査面内で互いに異なり、上記ｎ×ｍのレーザビームが入射する一つの同期検知手段を有し、上記ｎ×ｍのレーザビームは上記一つの同期検知手段にタイミングがずれて入射することを主たる特徴とする。
【発明の効果】
【００１８】
本発明によれば、複数（ｎ≧２；整数）のレーザビームを出射する複数（ｍ≧２；整数）のレーザ光源装置から出射されたレーザビームを共通の偏向手段により被走査面を偏向走査する光走査装置において、各レーザ光源装置から出射される複数のレーザビームは、偏向手段の偏向反射面付近にて互いに交差して入射しかつ反射されるように構成され、異なるレーザ光源装置から出射し共通の偏向手段に入射する複数のレーザビームの入射角度を偏向走査面内で互いに異ならせるため、各レーザビームの同期信号を時間的に分離してレーザビームごとに同期信号を得ることができる。また、二つのステーションに対して共通の同期検知手段を用いることができるため、部品コストの低減を図ることができる。
【発明を実施するための最良の形態】
【００１９】
以下、図面を参照しながら本発明にかかる光走査装置の実施の形態について説明する。図１には、タンデム式のフルカラー画像形成装置に用いられ、複数（ｎ≧２；整数）のレーザビームを出射する複数（ｍ≧２；整数）のレーザ光源装置から出射されたレーザビームを共通の偏向手段により被走査面を偏向走査する光走査装置の、図において偏向手段の右側に配置された「ステーション群」のみの光学系配置を示している。上記「ステーション群」は、二つの「ステーション」から構成されている。
【００２０】
図１に示すように、符号１０は、偏向手段の右側に配置された「ステーション群」の一方の「ステーション」（以下、「ステーションＭ」とする）のレーザ光源装置を示している。このレーザ光源装置１０は、二つの半導体レーザ１１、１２と、この半導体レーザ１１、１２から出射されたレーザビーム１１ａ、１２ａをカップリングするカップリングレンズ１３、１４とから主に構成されていて、これらの半導体レーザ１１、１２およびカップリングレンズ１３、１４は、ベース部材１５によって保持されている。また、半導体レーザ１１、１２は、レーザビーム１１ａとレーザビーム１２ａが、偏向手段としての回転多面鏡３１の偏向反射面３１ａ付近にて互いに交差するように、出射側が互いに寄り添うように傾斜してベース部材１５に保持されている。
【００２１】
上記レーザ光源装置１０の半導体レーザ１１、１２から出射されたレーザビーム１１ａ、１２ａは、カップリングレンズ１３、１４を透過することによってカップリングされ、線像結像素子としてのシリンダレンズ３０を透過することによって、回転多面鏡３１の偏向反射面３１ａに副走査方向に略結像した線像として形成される。このとき、レーザビーム１１ａとレーザビーム１２ａは、回転多面鏡３１の偏向反射面３１ａ付近にて互いに交差する。そして、上記レーザビーム１１ａ、１２ａは、時計方向に回転する回転多面鏡３１によってそれぞれ偏向走査され、第１走査レンズ３２および第２走査レンズ１６からなる走査レンズ系１７を透過し、図示しない折り返しミラーを介して感光体ドラム１８の被走査面上をビームスポットとしてそれぞれ等速走査する。また、第１走査レンズ３２を透過したレーザビーム１１ａ、１２ａの一部は、同期検知手段としての同期検知センサ３３に入射する。この同期検知センサ３３は、レーザビーム１１ａ、１２ａの主走査方向の書き込みタイミングを決定するものである。
【００２２】
上記レーザビーム１１ａ、１２ａは、回転多面鏡３１の偏向反射面３１ａから感光体ドラム１８の被走査面までの間の共役関係が全像高の範囲において略同等となっているため、感光体ドラム１８の被走査面上における両レーザビームの光学特性の偏差を抑制することができ、２ビーム書き込みによる出力画像の品質を良好に維持することができる。
【００２３】
次に、符号２０は、偏向手段の右側に配置された「ステーション群」の他方の「ステーション」（以下、「ステーションＮ」とする）のレーザ光源装置を示している。このレーザ光源装置２０は、二つの半導体レーザ２１、２２と、この半導体レーザ２１、２２から出射されたレーザビーム２１ａ、２２ａをカップリングするカップリングレンズ２３、２４とから主に構成されていて、これらの半導体レーザ２１、２２およびカップリングレンズ２３、２４は、ベース部材２５によって保持されている。また、半導体レーザ２１、２２は、レーザビーム２１ａとレーザビーム２２ａが、回転多面鏡３１の偏向反射面３１ａ付近にて互いに交差するように、出射側が互いに寄り添うように傾斜してベース部材２５に保持されている。
【００２４】
上記レーザ光源装置２０の半導体レーザ２１、２２から出射されたレーザビーム２１ａ、２２ａは、カップリングレンズ２３、２４を透過することによってカップリングされ、線像結像素子としてのシリンダレンズ３０を透過することによって、回転多面鏡３１の偏向反射面３１ａに副走査方向に略結像した線像として形成される。このとき、レーザビーム２１ａとレーザビーム２２ａは、回転多面鏡３１の偏向反射面３１ａ付近にて互いに交差する。そして、上記レーザビーム２１ａ、２２ａは、時計方向に回転する回転多面鏡３１によってそれぞれ偏向走査され、第１走査レンズ３２および第２走査レンズ２６からなる走査レンズ系２７を透過し、図示しない折り返しミラーを介して感光体ドラム２８の被走査面上をビームスポットとしてそれぞれ等速走査する。また、第１走査レンズ３２を透過したレーザビーム２１ａ、２２ａの一部は、上記同期検知センサ３３に入射する。この同期検知センサ３３は、上述のようにレーザビーム１１ａ、１２ａの主走査方向の書き込みタイミングを決定するだけでなく、レーザビーム２１ａ、２２ａの主走査方向の書き込みタイミングを決定するものである。
【００２５】
上記レーザビーム２１ａ、２２ａは、回転多面鏡３１の偏向反射面３１ａから感光体ドラム２１８の被走査面までの間の共役関係が全像高の範囲において略同等となっているため、感光体ドラム２８の被走査面上における両レーザビームの光学特性の偏差を抑制することができ、２ビーム書き込みによる出力画像の品質を良好に維持することができる。また、「ステーションＭ」のレーザ光源装置１０の半導体レーザ１１、１２から出射されたレーザビーム１１ａ、１２ａは、回転多面鏡３１の偏向反射面３１ａのほぼ同じ位置（交差位置）で反射され、「ステーションＮ」のレーザ光源装置２０の半導体レーザ２１、２２から出射されたレーザビーム２１ａ、２２ａは、回転多面鏡３１の偏向反射面３１ａのほぼ同じ位置（交差位置）で反射されることにより、両ステーション間の光学特性を同等とすることができ、多重転写によるカラー画像の品質を良好に維持することができる。
【００２６】
上述のように、「ステーションＭ」のレーザ光源装置１０の半導体レーザ１１、１２から出射されたレーザビーム１１ａ、１２ａと、「ステーションＮ」のレーザ光源装置２０の半導体レーザ２１、２２から出射されたレーザビーム２１ａ、２２ａは、一つの同期検知センサ３３によって主走査方向の書き込みタイミングが決定されている。回転多面鏡３１により偏向反射された上記レーザビーム１１ａ、１２ａ、２１ａ、２２ａを同期検知センサ３３に導くための同期光学系は、同期検知センサ３３の同期検知の精度を向上させるために、同期検知センサ３３上で少なくとも主走査方向に結像する作用を有している。図１に示す例では、第１走査レンズ３２が同期光学系を兼ねていて、第１走査レンズ３２の長さ方向一端部による主走査方向の結像位置に同期検知センサ３３を配置することにより、同期検知センサ３３の同期検知の精度を向上させている。
【００２７】
従って、同期検知センサ３３へ向かう上記レーザビーム１１ａ、１２ａ、２１ａ、２２ａは、第２走査レンズ１６あるいは第２走査レンズ２６を透過しないため、副走査方向には結像されず、主走査方向に略結像した線像となって同期検知センサ３３に入射する。この場合は、同期検知センサ３３として２分割ＰＤ（位置検出素子）などを用いることができる。また、同期検知センサ３３上における結像性能をより良好にさせるために、第１走査レンズ３２と同期検知センサ３３との間の光路上にレンズやミラー等の別の光学素子を設けてもよいし、あるいは、主走査方向および副走査方向の両方向に対してパワーを有する同期光学素子を設けてもよい。
【００２８】
ここで、「ステーションＭ」のレーザ光源装置１０の半導体レーザ１１、１２から出射されたレーザビーム１１ａと、回転多面鏡３１により偏向反射されたレーザビームの光軸３４とがなす角度をφ１とし、「ステーションＮ」のレーザ光源装置２０の半導体レーザ２１、２２から出射されたレーザビーム２１ａと、上記光軸３４とがなす角度をφ２とする。φ１＝φ２とした場合、レーザビーム１１ａとレーザビーム２１ａは略同時に同期検知センサ３３に入射し、また、レーザビーム１２ａとレーザビーム２２ａも略同時に同期検知センサ３３に入射することになり、同期検知センサ３３の同期信号は、図２（ａ）に示すように、レーザビーム１１ａとレーザビーム２１ａが時間的に同じになり、レーザビーム１２ａとレーザビーム２２ａも時間的に同じになる。従って、レーザビーム１１ａの同期信号とレーザビーム２１ａの同期信号、および、レーザビーム１２ａの同期信号とレーザビーム２２ａの同期信号をそれぞれ時間的に分離することができず、レーザビームごとの同期信号を得ることができない。
【００２９】
これに対し、図１に示すようにφ１≠φ２とした場合、すなわち、レーザ光源装置１０から出射し回転多面鏡３１に入射するレーザビーム１１ａ（または１２ａ）の入射角度と、レーザ光源装置２０から出射し回転多面鏡３１に入射するレーザビーム２１ａ（または２２ａ）の入射角度とを偏向走査面内で互いに異ならせることにより、４つのレーザビーム１１ａ、１２ａ、２１ａ、２２ａの同期検知センサ３３に入射するタイミングを互いにずらすことができ、図２（ｂ）に示すように各レーザビームの同期信号を時間的に分離してレーザビームごとに同期信号を得ることができる。また、二つのステーションに対して共通の同期検知センサ３３を用いることができるため、部品コストの低減を図ることができる。
【００３０】
また、図４に示すように、レーザ光源装置１０から回転多面鏡３１までの光学的距離と、レーザ光源装置２０から回転多面鏡３１までの光学的距離とを略一致させると共に、レーザ光源装置２０から回転多面鏡３１までの間に光路を折り曲げる光路折り曲げ手段としての折り曲げミラー３５を設けて、レーザ光源装置２０から回転多面鏡３１までの間の光路を折り曲げるようにすることができる。レーザ光源装置１０から回転多面鏡３１までの光学的距離と、レーザ光源装置２０から回転多面鏡３１までの光学的距離とを略一致させることにより、レーザ光源装置を構成している半導体レーザおよびカップリングレンズ等の機械的配置をステーション間で統一することができ、よって、各ステーションにおいて共通のレーザ光源装置を使用することができ、部品コストを低減させることができる。また、レーザ光源装置２０から回転多面鏡３１までの間の光路を折り曲げミラー３５によって折り曲げることにより、レーザ光源装置１０とレーザ光源装置２０の位置的干渉を防止することができると共に、レーザ光源装置２０から回転多面鏡３１までの光学的レイアウトの自由度を増大することができ、装置の小型化を図ることができる。
【００３１】
上述のように、レーザ光源装置１０のレーザビーム１１ａとレーザビーム１２ａは、回転多面鏡３１の偏向反射面３１ａのほぼ同じ位置（交差位置）で反射され、「ステーションＮ」のレーザ光源装置２０の半導体レーザ２１、２２から出射されたレーザビーム２１ａ、２２ａは、回転多面鏡３１の偏向反射面３１ａのほぼ同じ位置（交差位置）で反射するようになっている。ここで、図５に示すように、レーザ光源装置１０のレーザビーム１１ａとレーザビーム１２ａとのなす角度、およびレーザ光源装置２０のレーザビーム２１ａとレーザビーム２２ａとのなす角度をそれぞれαとする。このとき、レーザ光源装置１０から出射し回転多面鏡３１に入射するレーザビーム１１ａ（または１２ａ）の入射角度と、レーザ光源装置２０から出射し回転多面鏡３１に入射するレーザビーム２１ａ（または２２ａ）の入射角度とを偏向走査面内で互いに異ならせる角度をθ＝α／２とすることにより、図２（ｃ）に示すように同期検知センサ３３で得られるレーザビームごとの同期信号を略等間隔にすることができる。また、このようにすることにより、光学系を構成する様々な部品の形状誤差や組み付け誤差が発生した場合でも、レーザビームごとに独立した同期信号を得るための余裕度を確保することができる。
【００３２】
一般的には、ｍ（ｍ≧２；整数）個のレーザ光源装置からそれぞれｎ（ｎ≧２；整数）本のレーザビームが出射する場合には、θ＝α／ｍ（ｎ−１）とすることにより、同期検知センサ３３で得られるレーザビームごとの同期信号を略等間隔にすることができる。図３には、３（＝ｍ）個のレーザ光源装置からそれぞれ３（＝ｎ）本のレーザビームが出射する例を示している。この場合は、θ＝α／３（３−１）＝α／６となる。
【図面の簡単な説明】
【００３３】
【図１】本発明にかかる光走査装置の実施の形態を示す光学配置図である。
【図２】上記実施の形態に適用可能な同期検知手段を示す検知信号を示すグラフである。
【図３】本発明にかかる光走査装置の別の実施の形態を示す光学配置図である。
【図４】さらに別の実施の形態を示す光学配置図である。
【図５】さらに別の実施の形態を示す光学配置図である。
【図６】従来の光走査装置を示す平面図である。
【図７】従来のフルカラー画像形成装置における光走査装置を示す光学配置図である。
【符号の説明】
【００３４】
１０    レーザ光源装置
１１    半導体レーザ
１１ａ  レーザビーム
１２    半導体レーザ
１２ａ  レーザビーム
１３    カップリングレンズ
１４    カップリングレンズ
１６    第２走査レンズ
１７    走査レンズ系
２０    レーザ光源装置
２１    半導体レーザ
２１ａ  レーザビーム
２２    半導体レーザ
２２ａ  レーザビーム
２３    カップリングレンズ
２４    カップリングレンズ
２６    第２走査レンズ
２７    走査レンズ系
３０    シリンダレンズ
３１    回転多面鏡
３１ａ  偏向反射面
３２    第１走査レンズ
３３    同期検知センサ
【図１】
2007193353.tif 000003
【図２】
2007193353.tif 000004
【図３】
2007193353.tif 000005
【図４】
2007193353.tif 000006
【図５】
2007193353.tif 000007
【図６】
2007193353.tif 000008
【図７】
2007193353.tif 000009